(57)【特許請求の範囲】
【請求項１】
散布薬剤の調量装置（９）を配置するための下部開口（１２）を有する本体部（１３）と、前記調量装置（９）の開閉部周囲近傍に内側下端（１５）を有する傾斜面部（１６）および該傾斜面部（１６）の下部に前記調量装置（９）の周縁部（９ｂ）を押圧保持するための下面部（１７）を有するインサート部材（１８）とを備え、該インサート部材（１８）を前記本体部（１３）のブロー成形時にインサートしたことを特徴とする動力散布機のブロー成形薬剤タンク。
【請求項２】
前記本体部（１３）内の薬剤の流れを安定せしめるために前記調量装置（９）の上部に配置される屋根部材（２３）を固定するための固定用部材（２４，２４）の装着部（２８，２８）を前記インサート部材（１８）に形成したことを特徴とする請求項１に記載の動力散布機のブロー成形薬剤タンク。
【発明の詳細な説明】
【０００１】
【産業上の利用分野】
本発明は動力散布機のブロー成形薬剤タンクに関し、特にブロー成形タンクの改良に係り、ブロー成形に伴うタンクの形状や寸法の精度及びタンク内の薬剤の流れを改善している。
【０００２】
【従来の技術】
動力散布機に一般的に用いられているブロー成形薬剤タンクはブロー成形時において、特にタンク下部の内側の形状および寸法を薬剤の円滑な流下に適した傾斜面に成形することが難しく、粉粒状の散布薬剤の調量装置をタンク下部の開口部に配置した時に、前記開口部が必要以上に大きく、前記調量装置の周囲に平坦部が残らざるを得ないのが現状であり、この平坦部が多量の薬剤をタンク内に残す原因になり、タンク内の薬剤の円滑な流れを妨げることになる。
また、薬剤タンクの下部に散布薬剤の調量装置を装着する場合に調量装置を押圧保持する薬剤タンク下部開口の下面部の形状・寸法が正確に出せないために、成形後に薬剤タンクの下部開口を調量装置の形状・寸法に合わせるために、追加工が必要になる問題があった。
【０００３】
【発明が解決しようとする課題】
そこで本発明は、ブロー成形に伴うタンクの形状・寸法の精度を向上すると共に、タンク内の薬剤の流れを改善した動力散布機のブロー成形薬剤タンクを提供することを目的とし、ブロー成形薬剤タンクにおけるブロー成形に伴う前記問題を解消したことを特徴とする。
【０００４】
【課題を解決するための手段】
即ち本発明に係る動力散布機のブロー成形薬剤タンクは、散布薬剤の調量装置を配置するための下部開口を有する本体部と、前記調量装置の開閉部周囲近傍に内側下端を有する傾斜面部および該傾斜面部の下部に前記調量装置の周縁部を押圧保持するための下面部を有するインサート部材とを備え、該インサート部材を前記本体部のブロー成形時にインサートした構成を特徴とする。
【０００５】
【発明の実施の形態】
本発明の一実施の形態である背負動力散布機１を図１に示す。この背負動力散布機１は、その最上部には除草剤、殺虫粉剤や肥料等の粉粒状の散布物を収容するブロー成形薬剤タンク２、下部には薬剤を散布するための送風機４を有し、該送風機４の前後には背負部５と送風ファン駆動用エンジン３とを配設している。前記背負部５の一側に薬剤調量用レバー６を有し、この薬剤調量用レバー６の上げ下げにより、前記薬剤タンク２の下部開口１２より下方にある回動軸７が回動され、この回動軸７に設けられたＵ字状の突出部材８が回動されて調量装置９が開閉操作される。
【０００６】
該調量装置９は、前記薬剤タンク２と前記送風機４との間にあって薬剤を適量に調量して前記送風機４内に送って、その搬送風に混入せしめて前記送風機４の吐出口に接続した噴管（図示せず）から圃場に散布する。図２および図３に前記調量装置９の設置部の詳細断面を示す。該調量装置９はその下面に前記Ｕ字状の突出部材８の一部が入る凹所を形成する掛部材１０を固着し、前記調量装置９の基板９ａの周縁部９ｂに薄いゴム部材を嵌着して、前記タンク２の下部閉口にと前記送風機４の上端との間をシールしている。
【０００７】
前記ブロー成形薬剤タンク２は、薬剤を排出するとともに前記調量装置９を配置するための前記下部開口１２を有する本体部１３と、前記調量装置９の枢支軸２６にビス２７で固着されて上下揺動自在なステンレス鋼板製の調量シャッタ１４周囲近傍に内側下端１５を有する傾斜面部１６および該傾斜面部１６の下部に前記調量装置９の前記周縁部９ｂを押圧保持するための下面部１７を有するインサート部材１８とを備え、該インサート部材１８を前記本体部１３のブロー成形時にインサートして一体化したものである。
前記ブロー成形薬剤タンク２のブロー成形は、先ず前記本体部１３として形成される所定の温度に加熱された円筒状合成樹脂材料を図示しないが金型内に入れ、前記円筒状合成樹脂材料の下部に、予めインジェクション成形等により形状・寸法安定性の良い合成樹脂で成形された、剛性の高いインサート部材１８を固定設置し、一般に知られているブロー成形により、前記円筒状合成樹脂材料内に所定の温度に加熱された加圧流体を入れて、前記金型の形状に前記円筒状合成樹脂材料を成形する。
【０００８】
このように、前記インサート部材１８が前記タンク本体部１３と一体にされ、該本体部１３下部の内面傾斜と前記インサート部材１８の前記傾斜面部１６の傾斜とをほぼ同一にして前記タンク２内の薬剤の流れをスムースにすると共に、前記調量装置９に達する薬剤の流れを円滑にして該調量装置９に達しない残留薬剤を少なくしている。該調量装置９は全体として板材に形成され、前記調量シャッタ１４の上面には薬剤の流れを調整する突出片１９がボルト２０によって螺着固定されている。また、前記調量装置９はその両側を上方に曲げて側方起立壁２１，２１を形成すると共に、前記突出片１９の先端面を覆う先端起立壁２２を形成している。
更に、前記調量装置９の上方部には、前記薬剤タンク２内の薬剤の流れを安定せしめるための屋根部材２３を固定しており、この屋根部材２３を支持固定する固定用部材であるスタッドボルト２４，２４は、前記インサート部材１８に設けられた装着部のねじ穴２８，２８に螺入されている。また、前記調量装置９の前記調量シャッタ１４の先端との対向部には間隔規制板２５を固着している。
なお、図中の空間２９は、必ずしも必要とされないが、ブロー成形時に生じた変形や偏肉の吸収等を考慮して設けられている。
【０００９】
このように構成された本実施例の動力散布機のブロー成形薬剤タンクは、図１に示す背負動力散布機１に取着され、前記薬剤タンク２の上端部には薬剤投入口を設けて蓋３０を螺合している。前記ブロー成形薬剤タンク２の下部に前記インサート部材１８を一体に設けてタンク内の薬剤の流れを良くし、タンクに入れられた薬剤すべてが散布に有効消費されるように薬剤の残量を極力少なくする構造とし、タンク下部の内側および下端面の形状・寸法は、前記インサート部材１８のそれであるために、ブロー成形に伴う問題点を解消できるだけでなく、前記インサート部材１８の前記傾斜面部１６がより正確に薬剤を前記調量装置９に導くので、薬剤の残量を極力少なくするだけでなく、精度の高い薬剤散布を行うことができる。
【００１０】
【発明の効果】
以上の通り本発明によれば、散布薬剤の調量装置を配置するための下部開口を有する本体部と、調量装置の開閉部周囲近傍に内側下端を有する傾斜面部および調量装置を支持するための下面部を有するインサート部材とをブロー成形時に一体としたので、ブロー成形に伴うタンク下部の内側および下端面の形状・寸法精度の欠点を別体のインサート部材で解消することができるだけでなく、該インサート部材で傾斜面部を適切に形成して薬剤を調量装置に導く傾斜面を精度高く且つ円滑にすることができ、タンク内の薬剤の流れの安定化と相俟って薬剤の残量を極力少なくでき、精度の高い薬剤散布を行うことができる動力散布機のブロー成形薬剤タンクを提供できる。
【図面の簡単な説明】
【図１】本発明の一実施の形態に係るブロー成形薬剤タンクを備えた動力散布機の要部破断側面図。
【図２】図１の薬剤タンクの要部拡大正面断面図。
【図３】図１の薬剤タンクの要部拡大側面断面図。
【符号の説明】
１  背負動力散布機
２  ブロー成形薬剤タンク
９  調量装置
１２  下部開口
１３  本体部
１５  内側下端
１６  傾斜面部
１７  下面部
１８  インサート部材
２３  屋根部材
２４  スタッドボルト（固定用部材）
２８  ねじ穴（装着部）
【図１】
0003681501.tif 000002
【図２】
0003681501.tif 000003
【図３】
0003681501.tif 000004